(57)【要約】【課題】ハンドルアームが反転可能なベビーカーにおいてハンドルアームの操作を制限する操作制限機構、及び該操作制限機構を備えたベビーカーの提供。【解決手段】可動的にハンドルアーム４０に取付けられ、ハンドルアーム４０の車体フレーム３０に対して揺動する位置に応じてハンドルアーム４０の車体フレーム３０に対する揺動を不能に制限する制限位置と、前記揺動を許容する許容位置との間で切り替えることができるように構成された係合手段１０と、可動的に車体フレーム３０に取付けられ、車体フレーム３０が前記展開状態に切り替えられていない限り、係合手段１０を制限位置にロックするように構成されたロック手段２０と、を有することを特徴とするベビーカーに用いられる操作制限機構を提供する。【選択図】図１
2015083458.tif 000002
【特許請求の範囲】
【請求項１】
展開状態と収納状態との間で切り替えられるように構成され、且つ展開状態においては第１と第２の方向に進行することができる車体フレームと、所定の長さ方向に沿って延伸し、前記第１と第２の方向にそれぞれ対応する第１の操作位置と第２の操作位置との間で切り替えることができるように、揺動可能に前記車体フレームに取付けられたハンドルアームとを備えたベビーカーに用いられる操作制限機構であって、
可動的に前記ハンドルアームに取付けられ、前記ハンドルアームの前記車体フレームに対して揺動する位置に応じて前記ハンドルアームの前記車体フレームに対する揺動を不能にするように制限する制限位置と、前記揺動を許容する許容位置との間で切り替えることができるように構成された係合手段と、
可動的に前記車体フレームに取付けられ、前記車体フレームが前記展開状態に切り替えられていない間は前記係合手段を前記制限位置にロックするように構成されたロック手段と、を有することを特徴とするベビーカーに用いられる操作制限機構。
【請求項２】
前記係合手段は、前記所定の長さ方向に沿って摺動可能に前記ハンドルアームに取付けられ、前記所定の長さ方向に沿って前記制限位置と前記許容位置との間で往復摺動することができるように構成されており、
前記ロック手段は、前記車体フレームが前記収納状態及び前記収納状態から前記展開状態に切り替えられる途中において前記係合手段が前記制限位置から離れることを阻止するように構成されたことを特徴とする請求項１に記載のベビーカーに用いられる操作制限機構。
【請求項３】
前記ロック手段は、前記車体フレームが前記収納状態及び前記収納状態から前記展開状態に切り替えられる途中において前記係合手段の前記制限位置と前記許容位置との間に進入することによって前記係合手段が前記制限位置から離れることを阻止するように構成されたことを特徴とする請求項２に記載のベビーカーに用いられる操作制限機構。
【請求項４】
前記車体フレームが前記収納状態に配置される際、前記ハンドルアームが前記第１の操作位置に配置されるように構成されたことを特徴とする請求項１に記載のベビーカーに用いられる操作制限機構。
【請求項５】
前記ハンドルアームが揺動可能に取り付けられている取付け座を更に有する前記車体フレームを備えたベビーカーに用いられるものであって、
前記取付け座に配置され、前記ハンドルアームの前記第１の操作位置に対応する第１の制限手段を更に有し、
前記係合手段は、前記ハンドルアームが前記第１の操作位置に切り替えられると、前記制限位置に進入して前記取付け座の前記第１の制限手段に係合して前記ハンドルアームを前記第１の操作位置に係止することができるように構成されていることを特徴とする請求項１に記載のベビーカーに用いられる操作制限機構。
【請求項６】
前記取付け座に枢支されているアームレストを更に有する前記車体フレームを備えたベビーカーに用いられるものであって、
前記アームレストに配置され、前記ハンドルアームの前記第２の操作位置に対応する第２の制限手段を更に有し、
前記係合手段は、前記ハンドルアームが前記第２の操作位置に切り替えられると、前記アームレストの前記第２の制限手段に係合して前記ハンドルアームを前記第２の操作位置に係止することができるように構成されていることを特徴とする請求項５に記載のベビーカーに用いられる操作制限機構。
【請求項７】
前記車体フレームの前記収納状態とは、前記アームレストが前記取付け座に対して所定の収納位置に切り替えられた状態であり、
前記車体フレームの前記展開状態とは、前記アームレストが前記取付け座に対して所定の展開位置に切り替えられた状態であり、
前記ロック手段は、前記アームレストの前記取付け座に枢支されている端部に取り付けられ、前記アームレストが前記収納位置及び前記収納位置から前記展開位置に切り替えられる途中において前記係合手段が前記制限位置から離れることを阻止し、前記アームレストが前記展開位置に切り替えられると、前記係合手段が前記制限位置から離れることを許容するように構成されたことを特徴とする請求項６に記載のベビーカーに用いられる操作制限機構。
【請求項８】
前記ロック手段は、前記アームレストの前記取付け座に枢支されている後端部に配置されると共に、前記アームレストの前記取付け座に対する回動方向に対応するカーブ状に湾曲して延伸する制限カム突起を備えていることを特徴とする請求項７に記載のベビーカーに用いられる操作制限機構。
【請求項９】
前記ロック手段が有する前記制限カム突起は、前記アームレストが前記取付け座に対して前記収納位置から前記展開位置に切り替えられる途中において前記アームレストと共に回動可能に構成されると共に、前記アームレストが前記展開位置に到達すると、前記係合手段が前記制限位置から離れることを許容する退避位置に入るように構成されたことを特徴とする請求項８に記載のベビーカーに用いられる操作制限機構。
【請求項１０】
展開状態と収納状態との間で切り替えられるように構成され、且つ展開状態においては第１と第２の方向に進行することができる車体フレームと、所定の長さ方向に沿って延伸し、前記第１と第２の方向にそれぞれ対応する第１の操作位置と第２の操作位置との間で切り替えられることができるように、揺動可能に前記車体フレームに取付けられたハンドルアームと、請求項１〜請求項９のいずれか一項に記載の操作制限機構と、を有することを特徴とするベビーカー。
【発明の詳細な説明】
【技術分野】
【０００１】
本発明はベビーカーに関し、特に、ベビーカーに用いられる操作制限機構及び該操作制限機構を備えたベビーカー関する。
【背景技術】
【０００２】
ハンドルが反転可能なベビーカーとして、例えば特許文献１に記載されるものがある。
【０００３】
該ベビーカーは、幼児を座らせることができる座席部と、座席部を支持すると共に、展開／収納することができるように構成された支持枠と、展開される支持枠に対して回転可能となるように支持枠に対して枢支されているハンドルとを有し、ハンドルを揺動して異なる方向に向けさせることによって、該ベビーカーを押し動かす方向を変えることができる。しかし、支持枠を収納する際においてハンドルが配置されるべき位置が決まっているので、ハンドルをその正しい位置に切り替えなければ、支持枠を収納することができない。また、支持枠を収納状態から展開する際にハンドルを先に揺動させると、支持枠を正しく展開することが出来なくなる。
【０００４】
そのため、支持枠の展開／収納と、ハンドルの揺動位置とを記憶しておかなければならないので、このようなベビーカーを利用することに不便を感じる使用者も少なからずいる。
【先行技術文献】
【特許文献】
【０００５】
【特許文献１】特開２０１０−１７９９１５号公報
【発明の概要】
【発明が解決しようとする課題】
【０００６】
上記問題点に鑑みて、本発明はハンドルが反転可能なベビーカーにおいてハンドルの操作を制限する操作制限機構、及び該操作制限機構を備えたベビーカーの提供を目的とする。
【課題を解決するための手段】
【０００７】
上記目的を達成すべく、本発明は、展開状態と収納状態との間で切り替えられるように構成され、且つ展開状態においては第１と第２の方向に進行することができる車体フレームと、所定の長さ方向に沿って延伸し、前記第１と第２の方向に対応する第１の操作位置と第２の操作位置との間で切り替えることができるように、揺動可能に前記車体フレームに取付けられたハンドルアームとを有するベビーカーに用いられる操作制限機構であって、可動的に前記ハンドルアームに取付けられ、前記ハンドルアームの前記車体フレームに対して揺動する位置に応じて前記ハンドルアームの前記車体フレームに対する揺動を不能にするように制限する制限位置と、前記揺動を許容する許容位置との間で切り替えることができるように構成された係合手段と、可動的に前記車体フレームに取付けられ、前記車体フレームが前記展開状態に切り替えられていない間は前記係合手段を前記制限位置にロックするように構成されたロック手段と、を有することを特徴とするベビーカーに用いられる操作制限機構を提供する。
【０００８】
また、本発明は展開状態と収納状態との間で切り替えられるように構成され、且つ展開状態においては第１と第２の方向に進行することができる車体フレームと、所定の長さ方向に沿って延伸し、前記第１と第２の方向に対応する第１の操作位置と第２の操作位置との間で切り替えられることができるように、揺動可能に前記車体フレームに取付けられたハンドルアームと、上記操作制限機構と、を有することを特徴とするベビーカーをも提供する。
【発明の効果】
【０００９】
上記構成によれば、本発明の操作制限機構及び該操作制限機構を備えたベビーカーは、可動的にハンドルアームに取付けられ、ハンドルアームの車体フレームに対して揺動する位置に応じてハンドルアームの前記車体フレームに対する揺動を不能に制限する制限位置と、前記揺動を許容する許容位置との間で切り替えることができるように構成された係合手段と、可動的に車体フレームに取付けられ、車体フレームが展開状態に切り替えられていない限り、係合手段を前記制限位置にロックするように構成されたロック手段と、を有するように構成されるので、ベビーカーの車体フレームが展開状態に切り替えられていない限り、ロック手段及び係合手段を介してハンドルアームの車体フレームに対する揺動を不能に制限するので、ベビーカーの車体フレームを展開する際におけるハンドルアームの誤った揺動操作を制限してベビーカーの展開操作をわかりやすくすることができる。
【図面の簡単な説明】
【００１０】
【図１】本発明のベビーカーの車体フレームの展開状態が示される斜視図である。
【図２】本発明のベビーカーの車体フレームの収納状態が示される斜視図である。
【図３】本発明のベビーカーの操作制限機構が有する係合手段が、車体フレームの展開状態において制限位置に配置されている様子が示される平面図である。
【図４】本発明のベビーカーの操作制限機構が有する係合手段が、車体フレームの展開状態において許容位置に配置されている様子が示される平面図である。
【図５】本発明のベビーカーの操作制限機構が有する係合手段が、車体フレームの収納状態において制限位置に配置されている様子が示される平面図である。
【図６】本発明のベビーカーの操作制限機構が有する係合手段が、車体フレームの収納状態において制限位置に配置されている様子が示される斜視図である。
【図７】本発明のベビーカーが有するアームレストの構成が示されている斜視図である。
【発明を実施するための形態】
【００１１】
以下では各図面を参照しながら、本発明のベビーカーに用いられる操作制限機構及び該操作制限機構を備えたベビーカーの好ましい実施形態について詳しく説明する。
【００１２】
図１及び図２には、本発明の操作制限機構を備えたベビーカーの車体フレーム３０及びハンドルアーム４０が示されている。図示のように、該車体フレーム３０は、図１に対応する展開状態と、図２に対応する収納状態との間で切り替えることができるように構成されている。
【００１３】
該車体フレーム３０は、下端に前輪ユニット３３を有する前輪枠３１と、下端に後輪ユニット３４を有する後輪枠３２と、前輪枠３１と後輪枠３２との間に枢支されている支持板３５と、支持板３５の上側に配置されるアームレスト３６とを備えている上、前輪枠３１と後輪枠３２とのそれぞれの上端部は、アームレスト３６の前端部に枢支されている。この構成により、該車体フレーム３０は、図１に示されている展開状態と、図２に示されている収納状態との間で切り替えられるように構成され、且つ展開状態においては、後輪ユニット３４側から前輪ユニット３３側に向かう第１の方向と、前輪ユニット３３側から後輪ユニット３４側に向かう第２の方向と、に進行することができる。
【００１４】
また、図示のように該ベビーカーの車体フレーム３０は、上端がアームレスト３６の後端部に枢支され、下端が支持板３５の後端部に枢支されている取付け座３７を更に有しており、そして該取付け座３７の下端部には、ハンドルアーム４０の下端が揺動可能に枢支されている。即ち、ハンドルアーム４０は所定の長さ方向Ｒに沿って延伸し、前記第１と第２の方向にそれぞれ対応する第１の操作位置（即ち該ベビーカーを前記第１の方向に進行させる操作に適する位置。図１、図２参照）と第２の操作位置（即ち該ベビーカーを前記第２の方向に進行させる操作に適する位置。図示せず）との間で切り替える、即ち車体フレーム３０に対する位置を反転させることができるように、揺動可能に車体フレーム３０に取付けられている。
【００１５】
また、図２に示されているように、このベビーカーは、車体フレーム３０が収納状態に配置される際、ハンドルアーム４０が前記第１の操作位置に配置されるように構成されている。
【００１６】
従って、図示のように、車体フレーム３０の収納状態とは、アームレスト３６が取付け座３７に対して所定の収納位置（図２に示されている斜めに配置される位置）に切り替えられた状態であり、車体フレーム３０の展開状態とは、アームレスト３６が取付け座３７に対して所定の展開位置（図１に示されている略水平に配置される位置）に切り替えられた状態である。
【００１７】
本発明の操作制限機構は、このように構成されたハンドルアームが反転（第１の操作位置と第２の操作位置との間の切り替え）可能なベビーカーに対して、ハンドルアームの揺動操作を制限するものであり、可動的にハンドルアーム４０に取付けられ、ハンドルアーム４０の車体フレーム３０に対して揺動する位置に応じてハンドルアーム４０の車体フレーム３０に対する揺動を不能にするように制限する制限位置と、前記揺動を許容する許容位置との間で切り替えることができるように構成された係合手段１０と、可動的に車体フレーム３０に取付けられ、車体フレーム３０が前記展開状態に切り替えられていない間は係合手段１０を前記制限位置にロックするように構成されたロック手段２０と、ハンドルアーム４０が枢支されている取付け座３７に配置されて取付け座３７から突出するように形成されている第１の制限手段３７１と、アームレスト３６に配置されてアームレスト３６から突出するように形成されている第２の制限手段３６１と、を有している。
【００１８】
続いて、図３〜図６を用いて本発明の操作制限機構が有する係合手段１０及びロック手段２０について詳しく説明する。
【００１９】
図３は、係合手段１０が、車体フレーム３０の展開状態において制限位置に配置されている様子が示される平面図であり、図４は、係合手段１０が、車体フレーム３０の展開状態において許容位置に配置されている様子が示される平面図であり、そして図５は、係合手段が、車体フレーム３０の収納状態において制限位置に配置されている様子が示される平面図である。また、図６は、係合手段１０が、車体フレーム３０の収納状態において制限位置に配置されている様子が示される斜視図である。
【００２０】
図示のように、係合手段１０は、第１の当接面１１と、第１の当接面１１の反対側にある第２の当接面１２とを有するように形成されている。係合手段１０は、前記所定の長さ方向Ｒに沿って摺動可能にハンドルアーム４０に取付けられ、所定の長さ方向Ｒに沿って、第２の当接面１２が取付け座３７に配置されている第１の制限手段３７１に係合することによって、ハンドルアーム４０の取付け座３７並びに車体フレーム３０に対する揺動を不能にするように制限する制限位置（図３参照）と、第２の当接面１２が第１の制限手段３７１から離れることによって、ハンドルアーム４０の取付け座３７並びに車体フレーム３０に対する揺動を許容する許容位置（図４参照）との間で往復摺動することができるように配置構成されている。
【００２１】
ロック手段２０は、車体フレーム３０が収納状態及び収納状態から展開状態に切り替えられる途中において係合手段１０が前記制限位置から離れることを阻止する（即ち、係合手段１０を制限位置にロックする）ように構成されたものである。その具体的構成として、この実施形態においては、図５、図６及び図７に示されているように、アームレスト３６の取付け座３７に枢支されている後端部に配置されて係合手段１０の第１の当接面１１に当接することができるように、アームレスト３６の取付け座３７に対する回動方向に対応するカーブ状に湾曲して延伸する制限カム突起２１を備えている。
【００２２】
即ち、制限カム突起２１は、車体フレーム３０の展開状態と収納状態との切り替えにおいて回動するアームレスト３６に従って移動するものであって、車体フレーム３０が収納状態及び収納状態から展開状態に切り替えられる途中において係合手段１０の前記制限位置と前記許容位置との間に進入して係合手段１０の第１の当接面１１に当接することによって、係合手段１０が前記制限位置から離れることを阻止することができる。
【００２３】
言い換えると、ロック手段２０が有する制限カム突起２１は、アームレスト３６の取付け座３７に枢支されている後端部に取り付けられ、アームレスト３６が前記収納位置（図２参照）及び前記収納位置から前記展開位置に切り替えられる途中（図１、図２及び図６参照）において係合手段１０の第１の当接面１１に当接して係合手段１０が前記制限位置から離れることを阻止し、アームレスト３６が前記展開位置に到達すると、制限カム突起２１が第１の当接面１１から離れて係合手段１０が前記制限位置から離れることを許容する退避位置に入るように構成されている。
【００２４】
また、図１及び図２に示されているように、アームレスト３６に配置されている第２の制限手段３６１は、係合手段１０に対応し、ハンドルアーム４０が第２の操作位置に切り替えられると、係合手段１０がアームレスト３６の第２の制限手段３６１に係合してハンドルアーム４０を第２の操作位置に係止することができるように構成されている。
【産業上の利用可能性】
【００２５】
上記構成によれば、本発明の操作制限機構及び該操作制限機構を備えたベビーカーは、可動的にハンドルアーム４０に取付けられ、ハンドルアーム４０の車体フレーム３０に対して揺動する位置に応じて、ハンドルアーム４０の車体フレーム３０に対する揺動を不能にするように制限する制限位置と、前記揺動を許容する許容位置との間で切り替えることができるように構成された係合手段１０と、可動的に車体フレーム３０に取付けられ、車体フレーム３０が展開状態に切り替えられていない間は、係合手段１０を前記制限位置にロックするように構成されたロック手段２０と、を有するように構成されるので、ベビーカーの車体フレーム３０が展開状態に切り替えられない限り、ロック手段２０及び係合手段１０を介してハンドルアーム４０の車体フレーム３０に対する揺動を不能に制限するので、ベビーカーの車体フレーム３０を展開する際におけるハンドルアーム４０の誤った揺動操作を制限してベビーカーの展開操作をわかりやすくすることができる。
【符号の説明】
【００２６】
１０  係合手段
１１  第１の当接面
１２  第２の当接面
２０  ロック手段
２１  制限カム突起
３０  車体フレーム
３１  前輪枠
３２  後輪枠
３３  前輪ユニット
３４  後輪ユニット
３５  支持板
３６  アームレスト
３６１  第２の制限手段
３７  取付け座
３７１  第１の制限手段
【図１】
2015083458.tif 000003
【図２】
2015083458.tif 000004
【図３】
2015083458.tif 000005
【図４】
2015083458.tif 000006
【図５】
2015083458.tif 000007
【図６】
2015083458.tif 000008
【図７】
2015083458.tif 000009